(57)【要約】      （修正有）【課題】野生動物を簡単でかつ確実に屠殺を行える野生動物屠殺用具を提供する。【解決手段】先端先鋭状の正電極部となる金属針部１２を先端に有した所定長さの竿体と、竿体は基端に絶縁性のグリップ部１９を形成し、金属針部に接続した通電コード１３と、通電コードに接続したバッテリ部１４と、バッテリ部からの直流電圧を昇圧するための電源昇圧部と１５、ＤＣ／ＡＣインバーター１６と、電源スイッチ部１７と、アース部とよりなり、野生動物を屠殺する場合には、野生動物に竿体の金属針部を突き刺し、通電すると、ＤＣ／ＡＣインバーターから通電コード、金属針部、野生動物、捕獲罠及び地中の順に電流が流れるように構成した。【選択図】図１
2016163552.tif 000002
【特許請求の範囲】
【請求項１】
先端先鋭状の正電極部となる金属針部を先端に有した所定長さの竿体と、
竿体は基端に絶縁性のグリップ部を形成し、
金属針部に接続した通電コードと、
通電コードに接続したバッテリ部と、
バッテリ部からの直流電圧を昇圧するための電源昇圧部と、
ＤＣ／ＡＣインバーターと、
電源スイッチ部と、
アース部とよりなり、
野生動物を屠殺する場合には、野生動物に竿体の金属針部を突き刺し、通電すると、ＤＣ／ＡＣインバーターから通電コード、金属針部、野生動物、捕獲罠及び地中の順に電流が流れるように構成したことを特徴とする野生動物屠殺用具。
【請求項２】
電源昇圧部とＤＣ／ＡＣインバーターと電源スイッチ部は、竿体に配設したことを特徴とする請求項１に記載の野生動物屠殺用具。
【請求項３】
所定長さの竿体は伸縮自在に構成したことを特徴とする請求項１または２に記載の野生動物屠殺用具。
【発明の詳細な説明】
【技術分野】
【０００１】
この発明は、野生の猪や鹿等の野生動物類や猛禽類を屠殺するための野生動物屠殺用具に関する。
【背景技術】
【０００２】
近年、人里に出没する猪（例えばニホンイノシシ）や鹿の数は増加傾向にあり、特に過疎地や高齢者集落において、食害、踏みつけ、掘り起こし等の被害を及ぼすことが問題となっていた。
【０００３】
また、これらの野生動物は猛威を振る舞い、過疎地や高齢者集落の住人に噛み付いて危害を与えていた。これにより、住人が大きな傷害を受けていた。
【０００４】
このような野生動物を殺処分する方法としては、槍で直接突き刺したり、狩猟免許を持った猟師が猟銃で撃ったりしているが、その殺処分方法に残酷に感じられていた。
【０００５】
また、その他の方法としては、炭酸ガスによる処分、薬剤等の注射又は薬剤等を餌に混ぜて与えることによる処分が一般的に採用されている。
【０００６】
例えば、特許文献１に記載の「動物用安楽死装置」は、動物を所定容積の処分室内に収容し、処分室内に麻酔液気化器により所定の速度で気化された麻酔ガスを供給して、動物に麻酔ガスを吸入させることによって麻酔をかけた後、処分室内を酸欠状態にして動物を安楽死させる動物用安楽死装置である。
【先行技術文献】
【特許文献】
【０００７】
【特許文献１】特開２００７−６０９２５号公報
【発明の概要】
【発明が解決しようとする課題】
【０００８】
ところが、毒殺や麻酔などで屠殺すると、結果的に野生動物や猛禽類が苦しむ時間を有するもので、短時間で安楽死させることができない。また、動物によっては、毒や麻酔の効果が最初はみられても、結果的に死に至らせることができず、かえって危害の度が増すおそれがあった。
【０００９】
また、特許文献１に記載の「動物用安楽死装置」は、所定容積の処理室内に麻酔ガスを供給する装置構成であるため、その装置を有する場所まで野生動物を移送する必要があるが、その移送途中において野生動物から危害を受けたり、野生動物が逃げたりするおそれがあった。
【００１０】
さらに、近年では猟師が高齢化しており、一旦野生動物や猛禽類に襲われてしまうと、それを振り払う体力を有しないことにより、結果的に命を落とす危険性があった。
【００１１】
したがって、そのような猛威を振るう野生動物等に対しては、短時間で殺処分する必要があった。また、野生動物が生息している場所において簡単に屠殺する必要があった。
【００１２】
この発明は、上記課題を解決するためになされているもので、特に猛威を振る舞う野生動物を簡単でかつ確実に屠殺を行える野生動物屠殺用具を提供することを目的としている。
【課題を解決するための手段】
【００１３】
請求項１の発明は、先端先鋭状の正電極部となる金属針部を先端に有した所定長さの竿体と、竿体は基端に絶縁性のグリップ部を形成し、金属針部に接続した通電コードと、通電コードに接続したバッテリ部と、バッテリ部からの直流電圧を昇圧するための電源昇圧部と、ＤＣ／ＡＣインバーターと、電源スイッチ部と、アース部とよりなり、野生動物を屠殺する場合には、野生動物に竿体の金属針部を突き刺し、通電すると、ＤＣ／ＡＣインバーターから通電コード、金属針部、野生動物、捕獲罠及び地中の順に電流が流れるように構成したことを特徴とする野生動物屠殺用具。
【００１４】
請求項２の発明は、電源昇圧部とＤＣ／ＡＣインバーターと電源スイッチ部は、竿体に配設したことを特徴とする。
【００１５】
請求項３の発明は、所定長さの竿体は伸縮自在に構成したことを特徴とする。
【発明の効果】
【００１６】
請求項１に記載の発明によれば、先端先鋭状の正電極部となる金属針部を先端に有した所定長さの竿体と、竿体は基端に絶縁性のグリップ部を形成し、金属針部に接続した通電コードと、通電コードに接続したバッテリ部と、バッテリ部からの直流電圧を昇圧するための電源昇圧部と、ＤＣ／ＡＣインバーターと、電源スイッチ部とアース部とよりなり、野生動物を屠殺する場合には、野生動物に竿体の金属針部を突き刺し、通電すると、ＤＣ／ＡＣインバーターから通電コード、金属針部、野生動物、捕獲罠及び地中の順に電流が流れるように構成したので、簡単な装置構成により大電流を流し、動物の心拍を急速に停止して屠殺することができ、従って、猟師等が猛禽類や野生動物等を捕獲場所において簡単にかつ安全に屠殺することができる効果を有する。
また、野生動物や猛禽類等を短時間で屠殺することができるため、野生動物や猛禽類等を苦しませる時間を少なくできる効果がある。絶縁性のグリップ部とすることで安全に把持することができる。
【００１７】
さらに、バッテリ部の電気を電源昇圧部で昇圧し、インバーターでバッテリ部の直流電源を所定周波数を有する交流に変更することで、野生動物に大電流を流せる簡単な装置構成とすることができる効果を有する。
しかも、コンパクトに構成しているため、野生動物が生息している場所まで持ち運びその捕獲場で屠殺することができる。しかも、その携帯性を利用して猛威を振るう野生動物や猛禽類に対して捕獲現場において安全確実な屠殺処分が可能な対応姿勢をとることができる効果がある。
【００１８】
請求項２に記載の発明によれば、電源昇圧部とＤＣ／ＡＣインバーターと電源スイッチ部は、竿体に配設したので、野生動物や猛禽類等の屠殺時に邪魔にならず、竿体を突き刺し作業をするのに集中でき、竿体の基端側の電源スイッチ部は低電圧であり、竿体の先端側の電源昇圧部とＤＣ／ＡＣインバーターは高電圧であるため、電源スイッチ部を安全に操作することができる効果がある。
【００１９】
請求項３に記載の発明によれば、所定長さの竿体は伸縮自在に構成し、基端にグリップ部を形成しているので、動物との距離を離したり近づけたりすることができる。また、使用しない場合には竿体を短尺にして運搬しやすい効果がある。例えば、猛威を振るう野生動物に対しては距離を大きくとって電極を接触させるようにすることができ、安全性を確保できる場合は距離を短くして確実に電極を動物の体に接触させることができる効果を有する。
【図面の簡単な説明】
【００２０】
【図１】本発明の野生動物屠殺用具を示す全体構成の説明図。
【図２】本発明の野生動物屠殺用具を示す全体構成の回路図。
【図３】本発明の野生動物屠殺用具の使用状態を示した側面図。
【図４】本野生動物屠殺用具の変形例１を示す全体構成の説明図。
【図５】本野生動物屠殺用具の変形例１の使用状態を示した側面図。
【図６】（ａ）本野生動物屠殺用具の変形例２の使用状態を示した側面図。（ｂ）本野生動物屠殺用具の変形例２を示した回路図。
【図７】本野生動物屠殺用具の変形例３の使用状態を示した側面図。
【図８】本野生動物屠殺用具の他の変形例１を示す全体構成の説明図。
【発明を実施するための形態】
【００２１】
本発明の実施形態を図面に基づき詳細に説明する。
図１は、本発明の全体を示す説明図を示しており、本発明の野生動物屠殺用具１０は次のような構造を有する。
【００２２】
すなわち、図１に示すように、本発明に係る野生動物屠殺用具１０は、先端先鋭状の金属針部を先端に有した所定長さの竿体１１と、金属針部１２に接続した通電コード１３と、通電コード１３に接続したバッテリ部１４と、バッテリ部１４からの直流電圧を昇圧するための電源昇圧部１５と、ＤＣ／ＡＣインバーター１６と、通電コード１３の中途に介設した電源スイッチ部１７とよりなり、しかも、バッテリ部１４と電源昇圧部１５とＤＣ／ＡＣインバーター１６は携行可能に構成されている。
【００２３】
まず、竿体１１について説明する。
竿体１１は、先端側に先端先鋭状の金属針部１２を有し、基端側にグリップ部１９を備え、金属針部１２とグリップ部１９との間に杆状本体３１を備える。
【００２４】
金属針部１２は、猪等の猛禽類の体に突き刺すために先端先鋭状に構成している。特に、猪等は分厚い脂肪部を有しており、その脂肪部に深く突き刺せるように先端先鋭状に構成している。
【００２５】
しかも、金属針部１２は、図１に示すように、竿体１１は猛禽類に電流を流すための電極をその先端に備えている。
すなわち、竿体１１の金属針部１２は金属製の導体、例えば、鉄製で先端先鋭状に構成している。金属針部１２は、先端先鋭状の金属電極とすることで、電気を野生動物Ｙの分厚い脂肪部内まで行き渡らせるように構成している。
【００２６】
金属針部１２は、先端先鋭であり、しかも大電流を流す電極であるため、不使用時には被覆用キャップ２９を着脱自在としている。これにより、人が怪我をしたり、感電したりするのを防止できる。
【００２７】
杆状本体３１は、その全体長さを伸縮自在とすることもできる。すなわち、杆状本体３１は、外竿体と、外竿体より径が小さい内竿体とを備え、内竿体は外竿体に対して伸縮可能な入れ子管構造とすることで伸縮自在に構成することができる。内竿体は、径を異ならせて複数設けることができる。なお、杆状本体３１は、伸縮自在とせず、その全体を一体に形成してもよい。また、杆状本体３１は、絶縁材料で形成するようにしてもよい。このように絶縁材料で杆状本体３１を構成することにより、作業者が野生動物屠殺用具１０を安全に使用することができる。
【００２８】
このような伸縮自在構成することで、使用時には竿体１１の全長を長く形成することができ、猛威を振るう野生動物に対しては作業者が野生動物との距離を離間したまま狙いを定めて突き刺すことができる。
また、野生動物の体の特定部位に確実に突き刺したい場合には竿体１１を収縮させて作業者は野生動物との距離を縮めた状態で安全確実に突き刺すことができるように構成している。また、使用しない時は竿体１１を短尺として運搬しやすい効果がある。なお、竿体１１は、所定の長さを備えた伸縮構造を備えていないような絶縁した竿体であってもよい。
【００２９】
グリップ部１９は、先端の金属針部１２が大電流源となるため、より絶縁性を保持できるように絶縁性素材で被覆するように構成している。例えば、竿体１１のグリップ部１９には、別途絶縁材料で構成した管状本体を取り付けるようにしてもよい。
【００３０】
バッテリ部１４は、野生動物に与える電気の源となる電源である。本実施形態では、例えば、シールドバッテリを使用することができる。バッテリ部１４は、例えば電圧が１２Ｖ又は２４Ｖのものが挙げられる。
【００３１】
次に、電源昇圧部１５及びインバーター１６について説明する。
電源昇圧部１５は、バッテリ部１４での電源を昇圧するものである。例えば、１２Ｖの電源を１００Ｖの電圧を出力する交流に変換するものが挙げられる。
【００３２】
ＤＣ／ＡＣインバーター１６は、バッテリ部１４での直流電源（ＤＣ）を交流波（ＡＣ）に変換するものである。例えば、１２Ｖの直流電源（ＤＣ）を１００Ｖの正弦波を出力する交流（ＡＣ）に変換する機能を有するものが挙げられる。
【００３３】
ＤＣ／ＡＣインバーター１６は、前記電源昇圧部１５と前記機能を有するものが一体になったものを使用することができる。
インバーター１６には、昇圧する電源昇圧部１５を内蔵すると共に、直流を交流に変換する機能を備えたものが多数存在する。本実施形態では、ＤＣ／ＡＣ変換機能を有すると共に、電圧を昇圧する電源昇圧部１５を内蔵したインバーター１６を使用している。
【００３４】
すなわち、ＤＣ／ＡＣインバーター１６は、バッテリ部１４での直流電源を、２つのトランジスタを主体とするスイッチング回路により所定周波数（例えば５０Ｈｚ〜６０Ｈｚ等）でスイッチングして１２Ｖの低電圧の交流波を生成し、低電圧の交流波をトランス等によって１００Ｖまで昇圧するものを採用している。
【００３５】
このように、ＤＣ／ＡＣインバーター１６によって、バッテリ部１４から例えば、振幅電圧１００Ｖで５０Ｈｚ又は６０Ｈｚの正弦波を出力することができる。
【００３６】
なお、インバーター１６で出力する電圧は、動物や環境に応じて適正範囲で電圧及び周波数を調節自在に構成することができる。
また、インバーター１６は、バッテリ部１４からの電源電圧が使用範囲外にあるときは警告ブザーを鳴らしたりや警告ランプを点灯させることができる。
例えば、バッテリ部１４の電解液の減少や劣化等によって電源電圧が１０．５Ｖ未満になったり、又は規格外のバッテリ部１４を結線する等して１５Ｖを超えたりした場合には前記警告できるように構成することができる。
【００３７】
次に、バッテリ部１４から竿体１１までの結線の構成について説明する。
図１に示すように、バッテリ部１４とインバーター１６とはコネクタ（図示しない）を使用して、抜き差しを簡単にしている。
すなわち、導電性を有するバッテリ側電線の一端側をバッテリ部１４のプラス電極端子及びマイナス電極端子に接続し、他端側にコネクタの雌側又は雄側（雌型コネクタ又は雄型コネクタ）のいずれかを接続している。
また、インバーター側電線の一端側をインバーター１６の入力端子の正極側及び負極側に接続し、他端側にコネクタの雄側又は雌側のいずれかを接続している。
【００３８】
コネクタ２０は、絶縁性の樹脂で形成されたコネクタ本体内に導電性の雌ピンを備えた雌型コネクタと、絶縁性の樹脂で形成されたコネクタ本体内に導電性の雄ピンを備えた雄型コネクタと、を嵌脱自在に構成したものである。
【００３９】
このように構成することで、バッテリ部１４とインバーター１６との接続を容易にしている。すなわち、使用直前にコネクタの雌型コネクタと雄型コネクタとを嵌合させることで、インバーター１６から金属針部１２に電流を流せる状態となる。
【００４０】
本発明は、猪や鹿等の野生動物Ｙに大電流を流す装置であるため、このように大電流を流したいときにバッテリ部１４とＤＣ／ＡＣインバーター１６とをコネクタによって電気的に結線することができ、しかも作業性にも優れ、安全性にも優れている。
【００４１】
また、使用直後には、コネクタの雌型コネクタと雄型コネクタとを抜脱することで、バッテリ部１４からインバーター１６への電気の供給を完全に寸断できるので、残留電流を防止して安全にできると共に、バッテリ上がりを防止することができる。
【００４２】
より安全に操作できるように、コネクタを嵌合することで使用状態であることをインバーター１６や電源スイッチ部１７上でランプ点灯確認するように構成することもできる。
【００４３】
インバーター１６の側壁Ｓには、コンセントを抜き差しできるコンセント電極２８を備えており、そのコンセント電極２８に通電コード１３を介して金属針部１２と電気的に接続している。
【００４４】
すなわち、通電コード１３は、図１に示すように、コード２４とコード２５からなり、コード２４基端側の雄コンセント部２４ａをコンセント電極２８に接続可能としている。
コード２４の先端側の雌コンセント部２４ｂには、例えば２ｍから５ｍ長さのコードを有するコード２５基端側にあるオスコンセント部２５ａを差し込んでいる。コード２５先端側は竿体１１の金属針部１２に接続している。
【００４５】
また、インバーター１６の側壁Ｓに配設されている負電極の出力端子に電線２６の一端を連結し、電線２６の他端のクリップ２２を配設している。クリップ２２は捕獲罠Ｔを固定している金属杭Ｐから延びるワイヤＳの一端とアース接地を行うべく接続している。このクリップ２２はアース部となる。
【００４６】
野生動物を捕獲する捕獲罠Ｔは、野生動物の足を捕獲する導電性ワイヤＷと導電性ワイヤＷを地面に固定する金属杭Ｐで構成される。そして捕獲罠Ｔは、接地電位と同電位となるように金属杭Ｐを地面に埋設してアース機構を果たすようにしている。
野生動物屠殺用具１０の使用時にはクリップ２２は、金属杭Ｐに固定したアース用ワイヤＳに接続している。
なお、クリップ２２は一部を直接に地中に突き刺してグランド端子に代わるように構成してアース機能を果たすようにすることもできる。
【００４７】
インバーター１６には、金属針部１２とインバーター１６を繋ぐ通電コード１３と電源スイッチ部１７を繋ぐ通電コード１３に対して並列に延びる通電コード２７とが接続されている。電源スイッチ部１７には、スイッチボタン１７ａを配設しており、スイッチボタン１７ａを押すことでインバーター１６から金属針部１２に通電可能としている。
【００４８】
図２は、本発明の野生動物屠殺用具の構成を示した回路図である。
すなわち、図２に示すように、電源スイッチ部１７のスイッチボタン１７ａを閉じることで、インバーター１６  →  通電コード１３  →  金属針部１２  →  野生動物Ｙ  →  導電性ワイヤＷ  →金属杭Ｐ→  土中（接地箇所）に電流が流れる閉回路が形成される。
【００４９】
電源スイッチ部１７上に点灯ランプ（図示せず）等を配設し、閉回路が形成されることにより、例えば金属針部１２とインバーター１６との間に流れる電流を取り出して電源スイッチ部１７上で点灯ランプを点灯させることで確実に電流が猪の体内に流れるのを確認することができる。
【００５０】
このように構成した野生動物屠殺用具１０を用いて野生動物Ｙを屠殺することができる。
本実施例の野生動物屠殺用具１０による野生動物Ｙの屠殺方法について説明する。本野生動物屠殺用具１０は、様々な野生動物、例えば猪や鹿等に適用できるものである。
【００５１】
図３は、捕獲罠Ｔで捕獲した野生動物Ｙに大電流を流す状態を示した説明図である。
【００５２】
まず、野生動物Ｙが捕獲罠Ｔで捕獲された状態であり、この罠Ｔにかかった野生動物Ｙに大電流を流すようにしている。
すなわち、野生動物Ｙの足は捕獲罠Ｔの導電性ワイヤＷが締め付けられた状態で、導電性ワイヤＷの他端は金属杭Ｐに固定されている。金属杭Ｐは土中に埋設された状態で固定されて、アース接地されている。
【００５３】
次に、バッテリ部１４〜竿体１１を結線する。すなわち、図１に示すように、インバーター１６に竿体１１の通電コード１３を差し込むことで金属針部１２と正極側の配線構造にし、また、インバーター１６から電線２６を介してクリップ２２を金属杭Ｐから延びるアース用ワイヤＳに接続して負極側の配線構造とすることで前記閉回路を形成することができる。
【００５４】
また、地面が乾いている状態よりも、水を撒いて濡れた状態にすると、より電流を多く流せる効果がある。
【００５５】
本発明では、バッテリ部１４とインバーター１６は紐付きケース１８内に収納し、そのケース１８を手に提げて運搬することができる。ケース１８に収納することで雨や湿気からバッテリ部１４やインバーター１６を保護することができ、特に精密部品であるインバーター１６については水による破壊を防ぐことができる。
【００５６】
ケース１８は、上部開口を覆う蓋付きの手提げカバンのように手提げ状態にすることもできる。
【００５７】
また、野生動物Ｙに突き刺す直前で、バッテリ部１４から延びるコネクタ２０の一方と、インバーター１６から延びるコネクタ２０の他方とを嵌合させる。このように直前で嵌合させるので、不使用時での大電流を流す事故が少なくなる。
【００５８】
かかる状態において、図３に示すように、捕獲罠Ｔにかかっている猪に金属針部１２を突き刺す。突き刺す場所は特に限定されないが、頭部や心臓に近い箇所の急所であると短時間で死に至らせることができる。
【００５９】
そして、作業者は手元にある電源スイッチ部１７のスイッチボタン１７ａを押す。
すると、大電流が野生動物Ｙの体内に流すことができ、大電流を流した状態では野生動物Ｙは特に脳震盪を起こした状態となり、通電時間が略５〜１０秒で傾倒し、略３０秒で死に至る。
【００６０】
例えば、猪の表皮から数ミリから１ｃｍ程度浅く突き刺した場合には、電流は略４〜５Ａ流すことができ、２５秒〜４５秒で死に至らせることができる。
すなわち、猪の体脂肪の抵抗率が数千Ω・ｍであるので、１００Ｖの電圧よりオームの法則によって電流値を求めると数百ｍＡ〜数Ａ程度の電流を流すことができる。数百ｍＡ〜数Ａ程度の電流が流れると人間でも即死状態となる。
【００６１】
また、猪の首及び体内の脂肪深くまで突き刺した場合には、電流は略数百〜数Ａ流すことができ、１５秒〜２５秒で死に至らせることができる。これらはこれまでの実験結果を通して得られたことである。
【００６２】
このように、これまでの実験結果を通して得られたことは突き刺す深度に応じて電流変化が見られたことである。
すなわち、突き刺す深度に応じて皮膚側に流れる電流と脂肪部内に流れる電流との２通りに電流変化がみられ、この電流変化があるのは、表皮側と猪特有の分厚い脂肪とによって電流の流れ方に違いがあるとおもわれる。
【００６３】
このように、本発明の野生動物屠殺用具１０は、操作が簡単であり、短時間に野生動物Ｙを屠殺することができる。
本発明では野生動物Ｙの屠殺用としているが、例えば電流を流す時間を短くして野生動物Ｙを電気麻酔や気絶させるための道具として使用することもできる。
【００６４】
気絶させるための時間設定は、例えば、インバーター等の出力時間を設定する機能を有するものを使用することができる。
【００６５】
野生動物屠殺用具１０は装置全体としてコンパクトに構成しているため、野生動物が生息している場所まで持ち運びその捕獲場で屠殺することができる。しかも、その携帯性を利用して猛威を振るう野生動物や猛禽類に対して捕獲現場において安全確実な屠殺処分が可能な対応姿勢をとることができる効果がある。
【００６６】
なお、図８に示すように、電源スイッチ部１７については杆状本体３１のグリップ部１９に設けて、通電コード１３を竿体１１の先端からグリップ部にかけて取り付けるようにしてもよい。
【００６７】
［変形例１］
以下に説明する野生動物屠殺用具１０’は、電源昇圧部１５を含むＤＣ／ＡＣインバーター１６と電源スイッチ部１７とを竿体１１に配設した点と、バッテリ部１４を別体とした点が上記実施例と異なる点である。図４は本野生動物屠殺用具の変形例１を示す全体構成の説明図であり、図５は本野生動物屠殺用具の変形例１の使用状態を示した側面図である。
【００６８】
図４及び図５に示すように、竿体１１の長手方向の中央下部にはインバーター１６が配設され、竿体１１の基端側上部には電源スイッチ部１７が配設される。
また、電源昇圧部１５、ＤＣ／ＡＣインバーター１６の通電状態が確認できる点灯ランプや電源スイッチ部１７のスイッチボタン１７ａをグリップ部１９上に配設することで、一方の手でグリップ部１９を把持し、他方の手で電源スイッチ部１７のオンオフ操作を簡単に行うことができる。
【００６９】
竿体１１のグリップ部１９に低電圧の電源スイッチ部１７を設け、竿体１１の中央に高電圧のＤＣ／ＡＣインバーター１６を設けた構成とすることにより、竿体１１の重心がＤＣ／ＡＣインバーター１６の配設付近となり、作業者が竿体１１を把持したとき持ち易く、その後、野生動物Ｙの急所に狙いを定めて金属針部１２を狙い通りの急所に刺せて、さらに電源スイッチ部１７を押して、安全に通電することができる。
【００７０】
バッテリ部１４は、電気配線３０を介してインバーター１６に接続しており、バッテリ部１４は、竿体１１から離間して載置できるように別体としている。
また、電気配線３０は、正負の２種類の電気配線で構成されており、電気配線３０の一部はインバーター１６から竿体１１の基端に沿って、絶縁テープ等を用いて配設されている。
【００７１】
バッテリ部１４を別体とする構成とすることで、バッテリ部等が起因する電気的なノイズから電源昇圧部１５及びＤＣ／ＡＣインバーター１６の回路を保護することができる。また、重量のあるバッテリ部１４のみを持ち運びし易い効果がある。
【００７２】
なお、野生動物屠殺用具１０’の回路図は、図２に示す野生動物屠殺用具１０の回路図と同一なため重複説明を省略する。
【００７３】
なお、図８に示すように、竿体１１のグリップ部１９に電源スイッチ部１７を設けて、竿体１１の中央からＡＣインバーター１６を外して別体とするようにしてもよい。
【００７４】
［変形例２］
さらに以下に説明する野生動物屠殺用具１０’ ’は、バッテリと電源昇圧部１５との電源供給ラインに電源スイッチ部１７を設けた点が図４の野生動物屠殺用具１０’と異なる。図６（ａ）は本野生動物屠殺用具の変形例２の使用状態を示した側面図であり、図６（ｂ）は本野生動物屠殺用具の変形例２を示した回路図である。
【００７５】
図６（ａ）に示すように竿体１１の長手方向の中央にはインバーター１６が配設されており、竿体１１の基端には電源スイッチ部１７が配設される。
すなわち、電源昇圧部１５、ＤＣ／ＡＣインバーター１６の通電状態が確認できる点灯ランプや電源スイッチ部１７のスイッチボタン１７ａをグリップ部１９上に配設することで、手元で容易に操作することができる。
【００７６】
バッテリ部１４は正負の電気配線３１ａ，３１ｂをそれぞれ接続し、正側の電気配線３１ａと電源スイッチ部１７を接続し、さらに正側の電気配線３２ａを介してインバーター１６に接続し、負側の電気配線３１ｂ，３２ｂは、バッテリ部１４とインバーター１６とを接続している。バッテリ部１４は、竿体１１から離間して載置できるように別体としている。
【００７７】
電源スイッチ部１７をオンするとバッテリ部１４の直流電源をＤＣ／ＡＣインバーター１６に供給し、低電圧の交流波を生成し、低電圧の交流波を電源昇圧部１５によって昇圧して出力する。
【００７８】
バッテリ部１４とインバーター１６との電気供給ラインに電源スイッチ部１７を設ける構成とすることで、電源スイッチ部１７はバッテリ部の固有電圧が印加され、すなわち電源スイッチ部１７は低電圧な状態なため安全にオンオフ操作を行うことができる。
【００７９】
なお、図７に示すように、金属針部１２は野生動物Ｙの急所に刺さったままで竿体１１の先端から抜去できる構成としてもよい。金属針部１２には、所定の長さの通電コード１３を電気的に接続し、通電コード１３の多端はＤＣ／ＡＣインバーター１６に接続される。
【００８０】
使用する際は、野生動物Ｙの急所に金属針部１２を突き刺すと金属針部１２が竿体１１から抜去し、金属針部１２は通電コード１３に接続したまま野生動物Ｙの急所に突き刺さったままとなる。その後、電源スイッチ部１７をオンすることで、ＤＣ／ＡＣインバーター１６から通電コード１３を介して金属針部１２、野生動物Ｙの急所の順に電気が流れる。
【００８１】
かかる金属針部１２が抜去できる構成とすることで、金属針部１２を急所に突き刺した後、野生動物Ｙが暴れても竿体１１のグリップ部１９側には暴れた際の振動が伝達されず、通電コード１３が金属針部１２に追随することから電源スイッチ部１７のオン作動を手振れを起こすことなく行えて、通電された野生動物Ｙを確実に屠殺することができる。
【００８２】
本発明は、竿体を短尺にして携行部材をハンデイタイプにすることによりサーカス興業での虎や象等の猛獣使いの調教師に常時携行させて猛獣による事故の防止の対策に利用することもできる。
【００８３】
また、本発明は、虎や象等のサーカス猛獣の事故防止用防衛具として機能させることができる。また、本発明は、食肉センターで食肉用の豚や牛を屠殺することもできる。
【００８４】
なお、捕獲罠Ｔにかかった野生動物Ｙの処理方法について説明したが、野生動物Ｙが金属製の檻に入った状態で野生動物屠殺用具１０、１０’、１０’’を使用して殺処分するようにしてもよい。この場合、野生動物屠殺用具１０、１０’、１０’’のクリップ２２を金属製の檻に接続し、金属製の檻がアース接地されていることで、通電した際に、電源スイッチ部１７のスイッチボタン１７ａをオンし、インバーター１６  →  通電コード１３  →  金属針部１２  →  野生動物Ｙ  →  金属製の檻及び土中（接地箇所）に電流が流れる閉回路となる。
【００８５】
以上、本発明の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００８６】
１０  野生動物屠殺用具
１１  竿体
１２  金属針部
１３  通電コード
１４  バッテリ部
１５  電源昇圧部
１６  ＤＣ／ＡＣインバーター
１７  電源スイッチ部
１７ａ  スイッチボタン
１８  ケース
１９  グリップ部
２１ａ  バッテリ側電線
２１ｂ  インバーター側電線
２２  クリップ
２６  電線
２８  コンセント電極
２９  被覆用キャップ
３１  杆状本体
【図１】
2016163552.tif 000003
【図２】
2016163552.tif 000004
【図３】
2016163552.tif 000005
【図４】
2016163552.tif 000006
【図５】
2016163552.tif 000007
【図６】
2016163552.tif 000008
【図７】
2016163552.tif 000009
【図８】
2016163552.tif 000010
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
先端先鋭状の正電極部となる金属針部を先端に有した所定長さの竿体と、
竿体は基端に絶縁性のグリップ部を形成し、
金属針部に接続した通電コードと、
通電コードに接続したバッテリ部と、
バッテリ部からの直流電圧を昇圧するための電源昇圧部と、
ＤＣ／ＡＣインバーターと、
電源スイッチ部と、
アース部とよりなり、
ＤＣ／ＡＣインバーターには金属針部と同インバータ―を繋ぐ一方の通電コードと電源スイッチ部と同インバーターを繋ぐ他方の通電コードとが接続され、一方の通電コードに対して他方の通電コードが並列をなし、
野生動物を屠殺する場合には、作業者は一方の手で野生動物に竿体の金属針部を突き刺し、他方の手で電源スイッチ部を押して通電すると、ＤＣ／ＡＣインバーターから通電コード、金属針部、野生動物、捕獲罠及び地中の順に電流が流れるように閉回路を形成する構成としたことを特徴とする野生動物屠殺用具。
【手続補正２】
【補正対象書類名】明細書
【補正対象項目名】００１３
【補正方法】変更
【補正の内容】
【００１３】
請求項１の発明は、先端先鋭状の正電極部となる金属針部を先端に有した所定長さの竿体と、竿体は基端に絶縁性のグリップ部を形成し、金属針部に接続した通電コードと、通電コードに接続したバッテリ部と、バッテリ部からの直流電圧を昇圧するための電源昇圧部と、ＤＣ／ＡＣインバーターと、電源スイッチ部と、アース部とよりなり、ＤＣ／ＡＣインバーターには金属針部と同インバータ―を繋ぐ一方の通電コードと電源スイッチ部と同インバーターを繋ぐ他方の通電コードとが接続され、一方の通電コードに対して他方の通電コードが並列をなし、野生動物を屠殺する場合には、作業者は一方の手で野生動物に竿体の金属針部を突き刺し、他方の手で電源スイッチ部を押して通電すると、ＤＣ／ＡＣインバーターから通電コード、金属針部、野生動物、捕獲罠及び地中の順に電流が流れるように閉回路を形成する構成としたことを特徴とする野生動物屠殺用具。
【手続補正３】
【補正対象書類名】明細書
【補正対象項目名】００１６
【補正方法】変更
【補正の内容】
【００１６】
請求項１に記載の発明によれば、先端先鋭状の正電極部となる金属針部を先端に有した所定長さの竿体と、竿体は基端に絶縁性のグリップ部を形成し、金属針部に接続した通電コードと、通電コードに接続したバッテリ部と、バッテリ部からの直流電圧を昇圧するための電源昇圧部と、ＤＣ／ＡＣインバーターと、電源スイッチ部とアース部とよりなり、ＤＣ／ＡＣインバーターには金属針部と同インバータ―を繋ぐ一方の通電コードと電源スイッチ部と同インバーターを繋ぐ他方の通電コードとが接続され、一方の通電コードに対して他方の通電コードが並列をなし、野生動物を屠殺する場合には、作業者は一方の手で野生動物に竿体の金属針部を突き刺し、他方の手で電源スイッチ部を押して通電すると、ＤＣ／ＡＣインバーターから通電コード、金属針部、野生動物、捕獲罠及び地中の順に電流が流れるように閉回路を形成する構成としたので、簡単な装置構成により大電流を流し、動物の心拍を急速に停止して屠殺することができ、従って、猟師等が猛禽類や野生動物等を捕獲場所において簡単にかつ安全に屠殺することができる効果を有する。
また、野生動物や猛禽類等を短時間で屠殺することができるため、野生動物や猛禽類等を苦しませる時間を少なくできる効果がある。絶縁性のグリップ部とすることで安全に把持することができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】